(57)【要約】      （修正有）【課題】既設の乗客コンベアの照明装置において蛍光灯ランプからＬＥＤを光源とするＬＥＤランプへ変更する作業が容易に行うことができる乗客コンベアの照明装置を提供する。【解決手段】踏段の両側に設置された欄干に踏段の移動方向に沿って配設された乗客コンベアの照明装置３０において、ＬＥＤ３５を光源とする棒状のＬＥＤランプ３１と、ＬＥＤランプ３１に取り付けられた断面円形状のアダプタ３２と、欄干に固定されアダプタ３２を保持するランプホルダ３３とを備える。【選択図】図３
2013154998.tif 000002
【特許請求の範囲】
【請求項１】
踏段の両側に設置された欄干に前記踏段の移動方向に沿って配設された乗客コンベアの照明装置において、ＬＥＤを光源とする棒状のＬＥＤランプと、前記ＬＥＤランプに取り付けられた断面円形状のアダプタと、前記欄干に固定され前記アダプタを保持するランプホルダとを備えることを特徴とする乗客コンベアの照明装置。
【請求項２】
前記アダプタと前記ランプホルダとがネジ止めされていることを特徴とする請求項１に記載の乗客コンベアの照明装置。
【請求項３】
前記ランプホルダは、複数のアダプタ片を備え、前記複数のアダプタ片の間で前記ＬＥＤランプを保持することを特徴とする請求項１又は２に記載の乗客コンベアの照明装置。
【発明の詳細な説明】
【技術分野】
【０００１】
本発明は、乗客コンベアの照明装置に関する。
【背景技術】
【０００２】
エスカレータや動く歩道などの乗客コンベアでは、利用者の手元や足下の照度を確保して利用者の安全確保を目的としたり、あるいは、乗客コンベアの電飾を目的として、踏段の移動方向に沿って照明装置が取り付けられていることがある。照明装置は、乗客コンベアの手摺デッキ部分やスカートガードパネル部分などに配設される。
【０００３】
上記の照明装置では、光源として蛍光灯ランプが一般的に使用されているが、蛍光灯ランプではランプ切れが発生しやすいことから、近年、光源に発光ダイオード（以下、ＬＥＤという）を備えたＬＥＤランプを使用することがある。
【０００４】
ところで、既設の乗客コンベアの照明装置において光源に使用されている蛍光灯ランプをＬＥＤランプに変更する場合、蛍光灯ランプとＬＥＤランプとの外形形状が異なるため、蛍光灯ランプを保持するランプホルダを既設の乗客コンベアから取り外し、ＬＥＤランプを取り付けるためのブラケットを既設の乗客コンベアに固定する必要があり、光源を変更する作業が煩雑となる問題がある。
【先行技術文献】
【特許文献】
【０００５】
【特許文献１】特開昭６２−１９８００４号公報
【発明の概要】
【発明が解決しようとする課題】
【０００６】
本発明は上記問題を考慮してなされたものであり、既設の乗客コンベアの照明装置において蛍光灯ランプからＬＥＤを光源とするＬＥＤランプへ変更する作業が容易に行うことができる乗客コンベアの照明装置を提供することを目的とする。
【課題を解決するための手段】
【０００７】
実施形態に係る乗客コンベアの照明装置は、踏段の両側に設置された欄干に前記踏段の移動方向に沿って配設された乗客コンベアの照明装置において、ＬＥＤを光源とする棒状のＬＥＤランプと、前記ＬＥＤランプに取り付けられた断面円形状のアダプタと、前記欄干に固定され前記アダプタを保持するランプホルダとを備えることを特徴とする。
【図面の簡単な説明】
【０００８】
【図１】第１実施形態に係る照明装置が適用された乗客コンベアの斜視図である。
【図２】第１実施形態に係る照明装置の断面図である。
【図３】図２のＡ−Ａ断面図である。
【図４】第１実施形態の変更例に係る照明装置の断面図である。
【図５】第２実施形態に係る照明装置の要部を示す断面図である。
【発明を実施するための形態】
【０００９】
（第１実施形態）
以下、本発明の第１実施形態について、図面を参照して説明する。
【００１０】
本実施形態では、乗客コンベア１として図１に例示するような建物の上下階に跨って傾斜して設置され踏段３が上下階にわたって移動するエスカレータの場合を説明するが、本発明は、ステップが水平方向に移動する動く歩道に対しても適用することができる。
【００１１】
乗客コンベア１は、上下の乗降床２の間を無端状に連結されて移動する多数の踏段３と、踏段３の両側に踏段３の移動方向に沿って立設された一対の欄干４と、欄干４の周縁を移動する移動手摺５とを備える。
【００１２】
図２に示すように、欄干４は、踏段３の両側に立設されたガラスパネル７と、ガラスパネル７の周縁に固定されたデッキ８とを備える。デッキ８は、ガラスパネル７の周縁に固定される主デッキ９と、主デッキ９の上面に固定され移動手摺５を支持する手摺デッキ１０と、を備える。
【００１３】
主デッキ９は、断面形状が下方に開口するコ字状をなし、一対の側壁９ａ，９ｂが所定間隔をあけて踏段３の移動方向に沿って延びており、乗客コンベア１の幅方向外側に位置する一方側壁９ａに沿って断面形状が下方に開口したコ字状の固定部２０が配設されている。この固定部２０がガラスパネル７の周縁を挟持することで、主デッキ９がガラスパネル７の周縁に固定される。
【００１４】
手摺デッキ１０は、断面形状が上方に開口するコ字状をなし、一対の側壁１０ａ，１０ｂが互いに所定間隔をあけて踏段３の移動方向に沿って延びている。一対の側壁１０ａ，１０ｂの上端部には幅方向外方に向けて延びる摺動案内レール２１が設けられ移動手摺５の内周面を摺動可能に支持する。
【００１５】
このような構成の乗客コンベア１には、図２及び図３に示すように、移動手摺５の近傍の欄干４に照明装置３０が設けられている。
【００１６】
照明装置３０は、主デッキ９の下側であって固定部２０より乗客コンベア１の幅方向内方に寄せて配置されており、乗客コンベア１の乗客が照明装置３０に直接触れることがないように、光透過性の照明カバー１３で覆われている。この照明装置３０は、ＬＥＤ３５を光源とする棒状のＬＥＤランプ３１と、ＬＥＤランプ３１に取り付けられた断面円形状のアダプタ３２と、欄干４の主デッキ９に固定されたランプホルダ３３とを備える。
【００１７】
ＬＥＤランプ３１は、欄干４に沿って細長く延びる平板状をなした支持基板３４と、支持基板３４の長手方向に沿って支持基板３４上に配設された複数個のＬＥＤ３５と、駆動装置３９からの駆動電源をＬＥＤ３５に供給するリード線３６とを備え、複数個のＬＥＤ３５が長手方向に沿って所定間隔をおいて配設されており、リード線３６を介して駆動装置３９からの駆動電源が供給され発光する。
【００１８】
リード線３６は、主デッキ９と手摺デッキ１０との接合部に穿設された配線孔１１を通って主デッキ９内から手摺デッキ１０内へ引き出され駆動装置３９に接続される。
【００１９】
アダプタ３２は、図２に示すように、合成樹脂材からなる断面円形状の成形体であり、支持基板３４を外側から覆うように取り付けられている。なお、アダプタ３２は、図４に示すように、ＬＥＤランプ３１の支持基板３４の長手方向の端部に連結するように取り付けてもよい。
【００２０】
ランプホルダ３３は、金属板などの弾性変形可能な板状体をアダプタ３２の外周形状に合わせて成形した一対の保持部３７を備え、一対の保持部３７がアダプタ３２を外側から挟持することで、アダプタ３２に取り付けられたＬＥＤランプ３１を保持する。また、本実施形態では、ランプホルダ３３の一対の保持部３７と、一対の保持部３７に挟持されたアダプタ３２とが、ネジ３８により固定されている。
【００２１】
以上のような本実施形態における乗客コンベアの照明装置３０では、ＬＥＤランプ３１に取り付けた断面円形状のアダプタ３２を、欄干４の主デッキ９に固定されたランプホルダ３３で保持することで、ＬＥＤランプ３１を欄干４に取り付ける。そのため、既設の乗客コンベアの照明装置において蛍光灯ランプからＬＥＤを光源とするＬＥＤランプ３１へ変更する場合、既設の照明装置において蛍光灯ランプを保持するランプホルダ３３を用いて、ＬＥＤランプ３１を欄干４に取り付けることができ、蛍光灯ランプからＬＥＤランプ３１へ変更する作業が容易となる。
【００２２】
しかも、本実施形態では、ランプホルダ３３が断面円形状のアダプタ３２を保持するため、ＬＥＤランプ３１を蛍光灯ランプのような円筒状の管体でＬＥＤランプ３１を覆う必要がなく、ＬＥＤランプ３１を安価に製造することができ、照明装置３０のコストを抑えることができる。
【００２３】
また、本実施形態では、アダプタ３２とランプホルダ３３とがネジ３８によりネジ止めされているため、ＬＥＤランプが蛍光灯ランプより重い場合であってもランプホルダ３３からＬＥＤランプ３１が脱落することがない。
【００２４】
（第２実施形態）
次に、本発明の第２実施形態について、図５を参照して説明する。なお、第１実施形態と同一の構成のものについては同一の符号を付し、その構成の説明を省略する。
【００２５】
本実施形態では、図５に示すように、アダプタ３２は、複数（本実施形態では２つ）のアダプタ片４０から構成されており、複数のアダプタ片４０によってＬＥＤランプ３１が保持される。
【００２６】
詳細には、複数のアダプタ片４０は、それぞれ断面略扇形をなしており、互いに接合することで断面円形状になってアダプタ３２を形成する。アダプタ片４０の接合面には、ＬＥＤランプ３１の断面形状に対応する凹溝４１が設けられており、この凹溝４１にＬＥＤランプ３１を収納した状態で複数のアダプタ片４０が接合されことで、複数のアダプタ片４０の間でＬＥＤランプ３１を保持するように、ＬＥＤランプ３１の外側にアダプタ３２が取り付けられる。
【００２７】
このような本実施形態では、上記した第１実施形態と同様の作用効果が得られることに加え、ＬＥＤランプ３１における長手方向の任意の位置にアダプタ３２を取り付けることができるため、既設の照明装置における蛍光灯ランプを保持するランプホルダの位置にアダプタ３２の位置を簡単に合わせることができ、より一層、蛍光灯ランプからＬＥＤランプへ変更する作業が容易となる。
【００２８】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００２９】
１…乗客コンベア      ２…乗降床      ３…踏段
４…欄干      ５…移動手摺      ７…ガラスパネル
８…デッキ      ９…主デッキ      １０…手摺デッキ
１１…配線孔      １３…照明カバー      ２０…固定部
２１…摺動案内レール      ３０…照明装置      ３１…ランプ
３２…アダプタ      ３３…ランプホルダ      ３４…支持基板
３５…ＬＥＤ      ３６…リード線      ３７…保持部
３８…ネジ      ４０…アダプタ片      ４１…凹溝
【図１】
2013154998.tif 000003
【図２】
2013154998.tif 000004
【図３】
2013154998.tif 000005
【図４】
2013154998.tif 000006
【図５】
2013154998.tif 000007